(57)【要約】【課題】プリンタ内で使用する言語解析用文をプリンタ制御装置の記憶装置に記憶して変更して確認した後、プリンタに変更反映を行うことができるプリンタ制御装置を提供する。【解決手段】このプリンタシステムは、アプリケーションソフトにより印刷データを作成、及び編集するクライアント側ホスト装置１と、その印刷データを受信したり、言語解析用文を中継するサーバ２と、サーバ２から受信した印刷データから言語を解析する解析装置３と、解析装置から解析された印刷データを受信して転写紙にデータを印刷する印刷装置４を備えて構成されている。尚、図の実線の矢印は言語解析用文の流れを表し、太い点線の矢印は解析済印刷データの流れを表し、細かい点線の矢印は印刷データの流れを表す。【選択図】      図１
2004348177.tif 000002
【特許請求の範囲】
【請求項１】
受信した印刷データから印刷時に必要な印刷の出力機器及び形式を指定する言語を解析する言語解析手段と、該言語解析手段による言語解析に必要な言語解析用文法を記憶する言語解析用文法記憶手段と、該言語解析用文法記憶手段の解析用文法により解析可能なコマンド、前記解析用文法の場所及び前記解析用文法の優先順位により構成される解析用リストとを夫々２つずつ備えた解析装置と、前記各言語解析用文法記憶手段に対して読出し及び書込みを行うサーバ装置と、該サーバ装置に対してデータを送受信するホスト装置とを備えたことを特徴とするプリンタ制御装置。
【請求項２】
前記言語解析用文法記憶手段に記憶された言語解析用文法の内容を変更し、再び前記言語解析用文法記憶手段に保存することにより、前記言語解析用文法を編集する文法編集手段を備えたことを特徴とする請求項１に記載のプリンタ制御装置。
【請求項３】
前記ホスト装置は、前記言語解析手段と同等の解析機能を有するホスト側言語解析手段を備え、前記言語解析用文法記憶手段に保存したデータを読出して前記ホスト側言語解析手段により解析したデータを前記言語解析用文法記憶手段に再び保存可能とすることを特徴とする請求項１に記載のプリンタ制御装置。
【請求項４】
前記言語解析用文法記憶手段に保存したデータを読出して前記ホスト側言語解析手段により解析して保存したデータを、前記解析装置に送信する出力手段を備えたことを特徴とする請求項１乃至３の何れか一項に記載のプリンタ制御装置。
【請求項５】
前記印刷データ内に前記言語解析用文法によって解析可能である部分を見分ける言葉を前記印刷データの前後に付加することを特徴とする請求項１乃至４の何れか一項に記載のプリンタ制御装置。
【請求項６】
前記各言語解析用文法記憶手段の何れか一方に記憶する際に、解析可能である部分を見分ける言葉を付加し、前記各言語解析用文法記憶手段の何れか一方の解析用リストの作成機能を備えたことを特徴とする請求項１乃至５の何れか一項に記載のプリンタ制御装置。
【請求項７】
前記サーバ装置にタイマを備え、前記言語解析用文法記憶手段に対して読み出しを行った後、前記サーバ装置からデータが送信されるまで、または所定の時間読出しを行わないようにすることを特徴とする請求項１乃至６の何れか一項に記載のプリンタ制御装置。
【請求項８】
前記各言語解析用文法記憶手段の内容を変更可能であるホスト装置を備えたことを特徴とする請求項１乃至６の何れか一項に記載のプリンタ制御装置。
【発明の詳細な説明】
【０００１】
【発明の属する技術分野】
本発明は、プリンタ制御装置に関し、さらに詳しくは、プリンタが印刷時に使用する言語解析装置の制御内容を変更した時の確認を可能とするプリンタ制御装置に関するものである。
【０００２】
【従来の技術】
特開２００１−２８７４１３公報には、イメージデータの中間データ生成時間を短縮可能なプリンタ制御装置について開示されている。それによると、ページ記述言語を解析するページ記述言語解析手段と、ページ記述言語内のイメージデータ情報を解析するイメージデータ解析手段と、イメージデータ解析結果に基づいて拡大縮小処理、回転処理を行なうイメージデータ変換手段と、変換後のイメージデータに基づいて中間データを設定するイメージ中間データ設定手段と、中間データを解析し出力メモリに展開する中間データ展開手段とを備え、イメージデータ変換手段にアドレスオフセット手段とアドレス更新量設定手段とを備え、中間データ生成時の拡大縮小処理と回転処理を同時に行なうことで、中間データ生成に要する時間を短縮し、総じて印刷時間の短縮化が可能となるとしている。
つまり、言語解析装置を変更してその変更を確認する方法として、解析を行う法則が書かれている言語解析用文の内容を変更して言語解析用文及び言語解析装置の全てを変更し、当該変更部分を確認する場合は印刷データをプリンタに送信することによって確認が可能となっている。
【特許文献１】特開２００１−２８７４１３公報
【０００３】
【発明が解決しようとする課題】
しかしながら、特許文献１に記載の従来の方法によれば、確認のたびに言語解析用文と言語解析装置の全てを変更することとなり、開発に要する時間が増加してしまうという問題点を有している。
本発明は、かかる課題に鑑み、プリンタ内で使用する言語解析用文をプリンタ制御装置の記憶装置に記憶して変更して確認した後、プリンタに変更反映を行うことができるプリンタ制御装置を提供することを目的とする。
【０００４】
【課題を解決するための手段】
本発明はかかる課題を解決するために、請求項１は、受信した印刷データから印刷時に必要な印刷の出力機器及び形式を指定する言語を解析する言語解析手段と、該言語解析手段による言語解析に必要な言語解析用文法を記憶する言語解析用文法記憶手段と、該言語解析用文法記憶手段の解析用文法により解析可能なコマンド、前記解析用文法の場所及び前記解析用文法の優先順位により構成される解析用リストとを夫々２つずつ備えた解析装置と、前記各言語解析用文法記憶手段に対して読出し及び書込みを行うサーバ装置と、該サーバ装置に対してデータを送受信するホスト装置とを備えたことを特徴とする。
本発明のプリンタ制御装置は、印刷データに対して印刷に必要となる言語を解析する言語解析手段と、この言語解析手段による言語解析に必要となる言語解析用文法を記憶する言語解析用文法記憶手段とを夫々２つずつ備えた解析装置と、各言語解析用記憶手段に対して読出し及び書込みを行うサーバ装置と、このサーバ装置に対してデータを送受信するホスト装置とを有している。従って、プリンタ内で使用する言語解析用文法を本制御装置の言語解析用文法記憶手段に記憶して変更して確認し、その後プリンタに変更反映を行うことができるプリンタ制御装置を提供することができる。
かかる発明によれば、本プリンタ制御装置は、解析装置と、各言語解析用記憶手段に対して読出し及び書込みを行うサーバ装置と、このサーバ装置に対してデータを送受信するホスト装置とを備えるので、プリンタ内で使用する言語解析用文法を本制御装置の言語解析用文法記憶手段に記憶して変更して確認後、プリンタに変更反映を行うことができる。
請求項２は、前記言語解析用文法記憶手段に記憶された言語解析用文法の内容を変更し、再び前記言語解析用文法記憶手段に保存することにより、前記言語解析用文法を編集する文法編集手段を備えたことを特徴とする。
解析装置の言語解析用文法記憶手段に記憶された言語解析用文の内容を変更して言語解析用文を編集し、その結果を再び保存することにより、プリンタ以外でのデータ保存や管理を可能とすることができる。
かかる発明によれば、解析装置により言語解析用文を編集するので、プリンタ以外でのデータ保存や管理をすることができる。
【０００５】
請求項３は、前記ホスト装置は、前記言語解析手段と同等の解析機能を有するホスト側言語解析手段を備え、前記言語解析用文法記憶手段に保存したデータを読出して前記ホスト側言語解析手段により解析したデータを前記言語解析用文法記憶手段に再び保存可能とすることを特徴とする。
解析用文法をクライアント側ホスト装置によって、書き換えが可能となっているが、解析用文法の一方は、複数個文法が存在していても一括でしか変更できず、他方の解析用文法は、各解析用文法個別で書き換えが可能である特徴を備えている。また、書き換えの手順としては、解析用リスト要求後、クライアント側ホスト装置によってリストを表示し、その表示内容から、一つを編集用として選択することによって編集用解析文法を選択し、解析装置の解析文法から受け取る。そして、クライアント側ホスト装置にて編集作業を実施後、再び、解析装置側に送信し保存を行なう。
かかる発明によれば、ホスト装置がもう１つの言語解析手段を備えているので、プリンタ以外の装置において解析することができ、且つ印刷データの作成も行うことができる。
請求項４は、前記言語解析用文法記憶手段に保存したデータを読出して前記ホスト側言語解析手段により解析して保存したデータを、前記解析装置に送信する出力手段を備えたことを特徴とする。
かかる発明によれば、言語解析用文法記憶手段に保存したデータを読出して、ホスト側言語解析手段で解析して保存したデータをプリンタに送信する出力手段を有することにより、言語解析用文によって解析する機能を保持していないプリンタでも解析機能を確認することができる。
請求項５は、前記印刷データ内に前記言語解析用文法によって解析可能である部分を見分ける言葉を前記印刷データの前後に付加することを特徴とする。
リストの内容は、解析文法で解析可能なコマンドと解析用文法の場所、及び解析用文法の検索優先度順位を示す番号により構成されている。その作成を効率良く行うために、印刷データ内に解析可能である部分を見分ける言葉を付加することにより、言語解析用文法記憶手段のリスト作成を容易化することができる。
かかる発明によれば、言語解析用文法記憶手段に記憶する際に、印刷データ内に解析可能である部分を見分ける言葉を付加するので、言語解析用文法記憶手段のリスト作成を容易化することができる。
【０００６】
請求項６は、前記各言語解析用文法記憶手段の何れか一方に記憶する際に、解析可能である部分を見分ける言葉を付加し、前記各言語解析用文法記憶手段の何れか一方の解析用リストの作成機能を備えたことを特徴とする。
ホスト装置がサーバを介して各言語解析用文法記憶手段の何れか一方に記憶する際に、解析可能である部分を見分ける言葉を付加することにより、リスト作成を容易とすると共に、その解析用リストを作成する機能も備えている。
かかる発明によれば、ホスト装置が解析用リストを作成する機能も備えているので、言語解析の効率を向上することができる。
請求項７は、前記サーバ装置にタイマを備え、前記言語解析用文法記憶手段に対して読み出しを行った後、前記サーバ装置からデータが送信されるまで、または所定の時間読出しを行わないようにすることを特徴とする。
重複して解析用文法が書き換えられることを防止するために、サーバにはタイマを所有し、読出しを行うとサーバからデータが送信されるまで、または任意の特定の期間、読出しを行わないようにする。
かかる発明によれば、サーバ装置にタイマを備えて、読出しを行うとサーバからデータが送信されるまで、または任意の時間、読出しを行わないようにするので、重複して解析用文法が書き換えられることを防止することができる。
請求項８は、前記各言語解析用文法記憶手段の内容を変更可能であるホスト装置を備えたことを特徴とする。
かかる発明によれば、ホスト装置に文法の内容を変更する機能を備えることにより、そのような機能を持たないプリンタに対しても、サーバを介して印刷データを送信して印刷することができる。
【０００７】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態に係るプリンタ制御装置を使用したプリンタシステムの構成を示すブロック図である。このプリンタシステムは、アプリケーションソフトにより印刷データを作成、及び編集するクライアント側ホスト装置１と、その印刷データを受信したり、言語解析用文を中継するサーバ２と、サーバ２から受信した印刷データから言語を解析する解析装置３と、解析装置から解析された印刷データを受信して転写紙にデータを印刷する印刷装置４を備えて構成されている。尚、図の実線の矢印は言語解析用文の流れを表し、太い点線の矢印は解析済印刷データの流れを表し、細かい点線の矢印は印刷データの流れを表す。
図２は印刷データの基本構成を表す図である。印刷データは、図２に示すように、コマンド５とデータ６によって構成される。
図３は解析装置の基本的な構成を表す図である。この解析装置は、受信した印刷データから印刷時に必要な印刷の出力機器及び形式を指定する言語を解析する解析処理部１１と、この解析処理部１１による言語解析に必要な複数の言語解析用文法を記憶する言語解析用文法メモリ１２と、この言語解析用文法メモリ１２の解析用文法により解析可能なコマンド、解析用文法の場所及び解析用文法の優先順位により構成される解析用リスト１３とを備えて構成される。尚、図の細い実線の矢印は言語解析用文の流れを表し、太い点線の矢印は解析済印刷データの流れを表し、細かい点線の矢印は印刷データの流れを表し、２点鎖線の矢印はリスト要求／送信データの流れを表し、太い実線の矢印は解析用文法確認要求／送信流れを表す。
【０００８】
図４は解析用リスト１３の構成を表す図である。内容としては、図４で示すように、解析用文法で解析可能なコマンド１６と解析用文法の場所１７及び、解析用文法の検索優先順位を示す番号１５で構成される。この構成が解析用文法の個数だけ作成されリストとなる。このようなリストの作成を効率良く行うために、印刷データ内に解析可能である部分を見分ける言葉を付加することにより、言語解析用文法記憶手段のリスト作成を容易化することができる。
図５は解析用文法の作成手順を表すフローチャートである。その手順は、図５で示すように、解析装置が起動した際に行い（Ｓ１）、解析用文法を検索し（Ｓ２）、解析用文法が存在するか否かをチエックし（Ｓ３）、存在すれば（Ｓ３でＹＥＳのルート）見つかった順にリストに追加される（Ｓ４）。見つかる順としては、解析用文法が記述された順番となる。
図６は解析装置に印刷データが送信された際の手順を表すフローチャートである。その手順としては、図６に示すように、解析装置が印刷データを受け取る（Ｓ１１）。受け取ったデータのコマンドを判断し、リスト内のコマンドと一致するかどうかを判断する（Ｓ１２）。一致した場合は（Ｓ１２でＹＥＳのルート）、解析文法により印刷データのデータ部分を解析し（Ｓ１３）、解析が完了した部分を（Ｓ１４）印刷装置に送信する（Ｓ１５）。これによって、印刷装置は印刷データ内の内容を印刷結果として出力することが出来る。次に、印刷データが終了するかどうかを判断し（Ｓ１６）、続くようであれば（Ｓ１６でＮＯのルート）、ステップＳ１２に戻って再度検索し、終われば（Ｓ１６でＹＥＳのルート）解析を終了する。
【０００９】
図７は本発明の解析装置の構成を表す図である。この解析装置は、受信した印刷データから印刷時に必要な印刷の出力機器及び形式を指定する言語を解析する第１解析処理部２１と、この解析処理部２１による言語解析に必要な複数の言語解析用文法を記憶する言語解析用文法メモリ２２と、この言語解析用文法メモリ２２の解析用文法により解析可能なコマンド、解析用文法の場所及び解析用文法の優先順位により構成される第１解析用リスト２３と、受信した印刷データから印刷時に必要な印刷の出力機器及び形式を指定する言語を解析する第２解析処理部２４と、この解析処理部２４による言語解析に必要な複数の言語解析用文法を記憶する言語解析用文法メモリ２５と、この言語解析用文法メモリ２５の解析用文法により解析可能なコマンド、解析用文法の場所及び解析用文法の優先順位により構成される第２解析用リスト２６とを備えて構成される。尚、言語解析用文法メモリ２２は、この例では４つの第１解析用文法１〜４（２２ａ〜２２ｄ）により構成され、言語解析用文法メモリ２５は、この例では４つの第２解析用文法１〜４（２５ａ〜２５ｄ）により構成される。また、図の細い実線の矢印は言語解析用文の流れを表し、太い点線の矢印は解析済印刷データの流れを表し、細かい点線の矢印は印刷データの流れを表し、２点鎖線の矢印はリスト要求／送信データの流れを表し、太い実線の矢印は解析用文法確認要求／送信流れを表す。
図８は本発明のプリンタ制御装置を使用したプリンタシステムの構成を示すブロック図である。このプリンタシステムは、図示しないクライアント側ホスト装置からの印刷データを受信したり、言語解析用文を中継するサーバ２７、サーバ２７から受信した印刷データから言語を解析する解析装置５０と、解析装置５０から解析された印刷データを受信して転写紙にデータを印刷する印刷装置２８を備えて構成されている。尚、図の実線の矢印は言語解析用文の流れを表し、太い点線の矢印は解析済印刷データの流れを表し、細かい点線の矢印は印刷データの流れを表す。基本的な解析手順としては図４と同じであるが、図８で示すように、データは、第１解析処理部２１が受け取り、コマンドを検索する際に、第１解析用リスト２３内にコマンドが見つかれなければ、第２解析用リスト２６を検索する手順を行う。
【００１０】
図９は図８の解析装置に印刷データが送信された際の手順を表すフローチャートである。その手順としては、図９に示すように、サーバ２７から第１解析装置が印刷データを受け取る（Ｓ２１）。受け取ったデータのコマンドを判断し、リスト内のコマンドと一致するかどうかを判断する（Ｓ２２）。一致した場合は（Ｓ２２でＹＥＳのルート）、解析文法により印刷データのデータ部分を解析し（Ｓ２３）、解析が完了した部分を（Ｓ２４）印刷装置に送信する（Ｓ２５）。これによって、印刷装置は印刷データ内の内容を印刷結果として出力することが出来る。次に、印刷データが終了するかどうかを判断し（Ｓ２６）、続くようであれば（Ｓ２６でＮＯのルート）、ステップＳ２２に戻って再度検索し、終われば（Ｓ２６でＹＥＳのルート）解析を終了する。ここで、ステップＳ２２でリスト内のコマンドと一致しない場合（Ｓ２２でＮＯのルート）、サーバ２７から第２解析装置が印刷データを受け取り、受け取ったデータのコマンドを判断し、リスト内のコマンドと一致するかどうかを判断する（Ｓ３１）。一致した場合は（Ｓ３１でＹＥＳのルート）、第１解析装置よりデータを受信し（Ｓ３２）、解析文法により印刷データのデータ部分を解析し（Ｓ３３）、解析が完了した部分を（Ｓ３４）印刷装置に送信し（Ｓ３５）、第１解析装置にデータの終わりを送信する（Ｓ３６）。これによって、印刷装置は印刷データ内の内容を印刷結果として出力することが出来る。次に、印刷データが終了するかどうかを判断し（Ｓ２６）、続くようであれば（Ｓ２６でＮＯのルート）、ステップＳ２２に戻って再度検索し、終われば（Ｓ２６でＹＥＳのルート）解析を終了する。
図１０は本発明の解析用文法を変更するデータの流れを示すブロック図である。解析用文法をクライアント側ホスト装置３１によって、書き換えが可能となっているが、第１解析用文法３４は、複数個文法が存在していても一括でしか変更できず、第２解析用文法３６は、各解析用文法個別で書き換えが可能である特徴を備えている。
【００１１】
図１１は解析用文法を変更する際の解析手順を示す流れ図である。同じ構成要素には同じ参照番号が付されている。クライアント側ホスト装置３１はサーバ３２に対して解析用リストを要求する（Ｓ４１）。サーバ３２はそれを受けて解析装置１００に対して解析用リストを要求する（Ｓ４２）。解析装置１００はそれを受けると解析用リストをサーバ３２に送信し（Ｓ４３）、サーバ３２はそれをクライアント側ホスト装置３１に送信する（Ｓ４４）。クライアント側ホスト装置３１はそれにより編集用リストを選択し（Ｓ４５）、編集用解析用文法をサーバ３２に要求する（Ｓ４６）。サーバ３２はその要求を解析装置１００に送り（Ｓ４７）、解析装置１００は編集用解析用文法をサーバ３２に送信する（Ｓ４８）。サーバ３２は編集用解析用文法をクライアント側ホスト装置３１に送信し（Ｓ４９）、クライアント側ホスト装置３１はそれを表示して編集し（Ｓ５０）、サーバ３２に編集後解析用文法を送信する（Ｓ５１）。サーバ３２はそれを解析装置１００に送信し（Ｓ５２）、解析装置１００がその文法を反映したことを知らせる編集後解析用文法反映完了通知をサーバ３２に送信し（Ｓ５３）、サーバ３２はそれをクライアント側ホスト装置３１に送り（Ｓ５４）、クライアント側ホスト装置３１は反映完了を表示して終了する（Ｓ５５）。このように、クライアント側ホスト装置３１がサーバ３２を介して各言語解析用文法記憶手段の何れか一方に記憶する際に、解析可能である部分を見分ける言葉を付加することにより、リスト作成を容易とすると共に、その解析用リストを作成する機能も備えている。
【００１２】
図１２はＧＵＩ（Ｇｒａｐｈｉｃａｌ  Ｕｓｅｒ  Ｉｎｔｅｒｆａｃｅ）の表示例を示す図である。図１１のクライアント側ホスト装置３１の処理としては、ユーザに使用しやすいような、図１２で示すＧＵＩＩで行なう。また、このＧＵＩでは、リスト内の番号４０とコマンド４１を表示する。そしてリストの一つを選択し、優先変更ボタン４２の矢印によって、リスト内の番号４０を変更することが可能となっている。これにより、回数の多いコマンドを早く見つけることが可能となる。また、実行ボタン４３を選択することにより、図１３で示すような新たなＧＵＩが表示される。
図１３は実行ボタン４３を選択することにより表示された表示画面を表す図である。これは印刷装置名４５を入力し、テストデータ４６をＤｒｏｐＳｐａｃｅ４７にドラッグ＆ドロップすることにより、クライアント側ホスト装置３１内で編集用に取得した解析文法を使用して、解析結果をサーバ経由で印刷装置に直接送信する。また、重複して解析用文法が書き換えられることを防止するために、サーバ３２にはタイマを所有し、読出しを行うとサーバ３２からデータが送信されるまで、または任意の特定の期間、読出しを行わないようにする。
【００１３】
【発明の効果】
以上記載のごとく請求項１の発明によれば、本プリンタ制御装置は、解析装置と、各言語解析用記憶手段に対して読出し及び書込みを行うサーバ装置と、このサーバ装置に対してデータを送受信するホスト装置とを備えるので、プリンタ内で使用する言語解析用文法を本制御装置の言語解析用文法記憶手段に記憶して変更して確認後、プリンタに変更反映を行うことができる。
また請求項２では、解析装置により言語解析用文を編集するので、プリンタ以外でのデータ保存や管理をすることができる。
また請求項３では、ホスト装置がもう１つの言語解析手段を備えているので、プリンタ以外の装置において解析することができ、且つ印刷データの作成も行うことができる。
また請求項４では、言語解析用文法記憶手段に保存したデータを読出して、ホスト側言語解析手段で解析して保存したデータをプリンタに送信する出力手段を有することにより、言語解析用文によって解析する機能を保持していないプリンタでも解析機能を確認することができる。
また請求項５では、言語解析用文法記憶手段に記憶する際に、印刷データ内に解析可能である部分を見分ける言葉を付加するので、言語解析用文法記憶手段のリスト作成を容易化することができる。
また請求項６では、ホスト装置が解析用リストを作成する機能も備えているので、言語解析の効率を向上することができる。
また請求項７では、サーバ装置にタイマを備えて、読出しを行うとサーバからデータが送信されるまで、または任意の時間、読出しを行わないようにするので、重複して解析用文法が書き換えられることを防止することができる。
また請求項８では、ホスト装置に文法の内容を変更する機能を備えることにより、そのような機能を持たないプリンタに対しても、サーバを介して印刷データを送信して印刷することができる。
【図面の簡単な説明】
【図１】本発明の一実施形態に係るプリンタ制御装置を使用したプリンタシステムの構成を示すブロック図である。
【図２】本発明の印刷データの基本構成を表す図である。
【図３】本発明の解析装置の基本的な構成を表す図である。
【図４】本発明の解析用リスト１３の構成を表す図である。
【図５】本発明の解析用文法の作成手順を表すフローチャートである。
【図６】本発明の解析装置に印刷データが送信された際の手順を表すフローチャートである。
【図７】本発明の解析装置の構成を表す図である。
【図８】本発明のプリンタ制御装置を使用したプリンタシステムの構成を示すブロック図である。
【図９】本発明の解析装置に印刷データが送信された際の手順を表すフローチャートである。
【図１０】本発明の解析用文法を変更するデータの流れを示すブロック図である。
【図１１】本発明の解析用文法を変更する際の解析手順を示す流れ図である。
【図１２】本発明のＧＵＩ（Ｇｒａｐｈｉｃａｌ  Ｕｓｅｒ  Ｉｎｔｅｒｆａｃｅ）の表示例を示す図である。
【図１３】本発明の実行ボタン４３を選択することにより表示された表示画面を表す図である。
【符号の説明】
１  クライアント側ホスト装置、２  サーバ、３  解析装置、４  印刷装置
【図１】
2004348177.tif 000003
【図２】
2004348177.tif 000004
【図３】
2004348177.tif 000005
【図４】
2004348177.tif 000006
【図５】
2004348177.tif 000007
【図６】
2004348177.tif 000008
【図７】
2004348177.tif 000009
【図８】
2004348177.tif 000010
【図９】
2004348177.tif 000011
【図１０】
2004348177.tif 000012
【図１１】
2004348177.tif 000013
【図１２】
2004348177.tif 000014
【図１３】
2004348177.tif 000015